(57)【要約】【課題】使用時における操作ボタンの押し下げができ得る限り一様になるようにし、噴出量のばらつきをなくした噴出ポンプ装置を提供する。【解決手段】ピストン２２をシリンダ１２内に一定以上押し入れて操作ボタン２６から手を離したとき、ピストンに係止部１４ｃを掛け止めてピストンの復帰を阻止する一方、操作ボタンの押し下げ時に移動した係止解除部１９ｅを圧力室ａの圧力の低下とともに復帰して係止部１４ｃに突き当て、ピストンに対する係止部の掛け止めを解除する。操作ボタンを押し下げてステム２５を押し込んでも、はじめのうちはピストンを移動しないようにするとなおよい。【選択図】        図１
2005040695.tif 000002
【特許請求の範囲】
【請求項１】
操作ボタンを押し下げてステムを押し込み、ピストンをシリンダ内に押し入れて圧力室の圧力を上昇し、出口弁を開いて圧力室の内容物を前記ピストン内から前記ステム内を通して前記操作ボタン内に入れ、その操作ボタンの吐出口から外部に噴出する噴出ポンプ装置において、
前記ピストンを前記シリンダ内に一定以上押し入れて前記操作ボタンから手を離したとき、前記ピストンに掛け止めて前記ピストンの復帰を阻止する係止部と、前記操作ボタンの押し下げ時、移動する一方、押し下げ解除時、前記圧力室の圧力の低下とともに復帰して前記ピストンに対する前記係止部の掛け止めを解除する係止解除部を設けることを特徴とする、噴出ポンプ装置。
【請求項２】
前記操作ボタンを押し下げて前記ステムを押し込んでも、はじめのうちは前記ピストンを移動しないことを特徴とする、請求項１に記載の噴出ポンプ装置。
【請求項３】
請求項１または２に記載の噴出ポンプ装置を備えることを特徴とする、噴出器。
【発明の詳細な説明】
【０００１】
【発明の属する技術分野】
この発明は、使用時に操作ボタンを押し込んで、容器の内容物を、操作ボタンの吐出口から外部に噴出する、化粧用・消毒用・洗浄用・薬用・塗装用などの噴出器に関する。および、そのような噴出器において、容器の口部に取り付けて容器の内容物を汲み上げて噴出する噴出ポンプ装置に関する。
【０００２】
【従来の技術】
【特許文献１】特開平９−１７３９２０号公報
従来、化粧用等の噴出器は、例えば特許文献１に記載されるような構成であった。すなわち、図３に示すように、容器１の口部１ａに噴出ポンプ装置２を取り付けてなり、使用時に噴出ポンプ装置２の操作ボタン３を押し下げてステム４を押し込み、噴出ポンプ装置２を作動することにより容器１の内容物を汲み上げて操作ボタン３内を通して操作ボタン３に備える吐出口３ａから外部へと噴出していた。
【０００３】
すなわち、噴出ポンプ装置２では、ピストン５をシリンダ６内に押し入れて圧力室７内の圧力を上昇し、出口弁８を開いて圧力室７内の内容物をピストン５内からステム４内を通して操作ボタン３内に入れ、その操作ボタン３の吐出口３ａから外部に噴出していた。
【０００４】
【発明が解決しようとする課題】
ところが、この種の噴出ポンプ装置２では、操作ボタン３の押し下げ方によって、吐出口３ａから噴出される内容物の量が一定せず、噴出量にばらつきを生ずる問題があった。例えば操作ボタン３の押し下げのストロークが小さかったり、操作ボタン３をゆっくり押し下げたりすると、吐出口３ａから少量の内容物しか噴出することができなかった。
【０００５】
そこで、この発明の第１の目的は、使用時における操作ボタンの押し下げができ得る限り一様になるようにし、噴出量のばらつきをなくした噴出ポンプ装置を提供することにある。
【０００６】
この発明の第２の目的は、操作ボタンを中途半端に押し下げても、吐出口から内容物が噴出することなく、使用時における操作ボタンの押し下げができ得る限り一様になるようにし、噴出量のばらつきをなくした噴出ポンプ装置を提供することにある。
【０００７】
この発明の第３の目的は、使用時における操作ボタンの押し下げができ得る限り一様になるようにし、噴出量のばらつきをなくした噴出器を提供することにある。
【０００８】
【課題を解決するための手段】
このため、請求項１に記載の発明は、上述した第１の目的を達成すべく、操作ボタンを押し下げてステムを押し込み、ピストンをシリンダ内に押し入れて圧力室の圧力を上昇し、出口弁を開いて圧力室の内容物をピストン内からステム内を通して操作ボタン内に入れ、その操作ボタンの吐出口から外部に噴出する噴出ポンプ装置において、
ピストンをシリンダ内に一定以上押し入れて操作ボタンから手を離したとき、ピストンに掛け止めてピストンの復帰を阻止する係止部と、操作ボタンの押し下げ時、移動する一方、押し下げ解除時、圧力室の圧力の低下とともに復帰してピストンに対する係止部の掛け止めを解除する係止解除部を設ける、ことを特徴とする。
【０００９】
請求項２に記載の発明は、上述した第２の目的を達成すべく、請求項１に記載の噴出ポンプ装置において、操作ボタンを押し下げてステムを押し込んでも、はじめのうちはピストンを移動しない、ことを特徴とする。
【００１０】
請求項３に記載の発明は、上述した第３の目的を達成すべく、請求項１または２に記載の噴出ポンプ装置を備えることを特徴とする、噴出器である。
【００１１】
【発明の実施の形態】
以下、図面を参照しつつ、この発明の実施の形態につき説明する。
図１には、この発明による噴出ポンプ装置を備える噴出器の縦断面を示す。
【００１２】
図中符号１０は、容器である。容器１０は、プラスチック材料でボトル形状につくり、その口部１０ａ外周に雄ねじを設け、図示省略するが、この例では、内部に、内容物としてシャンプー液を収納する。
【００１３】
その容器１０の口部１０ａには、噴出ポンプ装置Ｐを取り付ける。
噴出ポンプ装置Ｐには、ねじキャップ１１を設ける。ねじキャップ１１は、内周に雌ねじを有するとともに、頂部中央に中心孔をあけてなる。そして、頂部をシリンダ１２のフランジ１２ａ上に乗せ、容器１０の口部１０ａに被せてパッキン１３を挟んでねじ付けてなる。
【００１４】
シリンダ１２は、第１シリンダ１４と第２シリンダ１５とを連結して形成する。第１シリンダ１４には、上端に前記フランジ１２ａを設けるとともに、そのすぐ下に径方向に貫通する空気吸込み孔１４ａをあける。他方、第２シリンダ１５の下部には、第１段部１５ａを設けてその第１段部１５ａに吸込口１５ｂをあけ、またその第１段部１５ａの下に小径の管取付口１５ｃを設ける。そして、その管取付口１５ｃ内に吸上げ管１６の上端部を圧入し、その吸上げ管１６内と吸込口１５ｂとを連通する。
【００１５】
このようなシリンダ１２の第２シリンダ１５内には、コイル状の第１スプリング１８を挿入して前記第１段部１５ａ上に乗せる。第１スプリング１８上には、スライド部材１９を乗せる。スライド部材１９には、第２シリンダ１５の内面に液密に接触してスライド自在に設ける外筒部１９ａと、中心に吸入口１９ｂを有する内筒部１９ｃと、それらの間で支持する係止解除部材１９ｄとで構成する。内筒部１９ｃ内には、ボール状の入口弁２０を収納して吸入口１９ｂを塞ぐ。係止解除部材１９ｄの上端には、４つの爪状の係止解除部１９ｅを周方向に間隔をあけてそれぞれ上向きに設ける。
【００１６】
第１シリンダ１４の下端には、第２段部１４ｂをつくる。その第２段部１４ｂの内端からは、４つの係止部１４ｃを垂下し、それぞれ４つの係止解除部１９ｅと対向する。そして、不使用時は、第１スプリング１８の付勢力で各係止解除部材１９ｄをそれぞれ対応する係止部１４ｃに押し当てる。そのような第１シリンダ１４内には、コイル状の第２スプリング２１を挿入して前記第２段部１４ｂ上に乗せる。第２スプリング２１上には、ピストン２２の鍔部２２ａを乗せる。
【００１７】
ピストン２２は、鍔部２２ａより上の上部内に中心穴２２ｂを設け、上向きに開口する。また、中心穴２２ｂの下部から径方向に外向きに貫通して連通孔２２ｃをあけるとともに、下端部に掛止部２２ｄを形成する。そして、そのピストン２２の外周には、連通孔２２ｃを塞ぐように出口弁２３を設け、鍔部２２ａ上に乗せる。出口弁２３は、外周２３ａを第１シリンダ１４の内面に液密に接触してスライド自在に設ける。これにより、シリンダ１２内に、スライド部材１９、ピストン２２、出口弁２３などで区画して圧力室ａを形成する。
【００１８】
そのような出口弁２３上には、コイル状の第３スプリング２４を乗せる。第３スプリング２４上には、ピストン２２の上部を挿入する管状のステム２５を乗せる。ステム２５は、ねじキャップ１１の頂部中央の中心孔に貫挿して上向きに突出する。ステム２５の上端には、操作ボタン２６を取り付ける。操作ボタン２６は、キャップ状の本体部２６ａの外周に噴出管２６ｂを嘴状に設け、噴出管２６ｂの先端に吐出口２６ｃを設ける。操作ボタン２６内には、ステム２５からのシャンプー液を吐出口２６ｃへと導く流路を形成している。
【００１９】
いま、この噴出器を使用するときは、容器１０を置いたままでまたは手で持って噴出管２６ｂの先を目的部位に向け、操作ボタン２６を押し下げて第３スプリング２４に抗してステム２５を押し込む。すると、はじめのうちは、ピストン２２を移動しないが、やがて入口弁２３に接触し、その入口弁２３を介してピストン２２を第２スプリング２１に抗してシリンダ１２内に押し入れる。
【００２０】
そして、第１スプリング１８に抗してスライド部材１９を次第に第２シリンダ１５の奥に押し込む。他方、徐々に圧力室ａの圧力を上昇し、その圧力室ａの圧力の高まりとともに、出口弁２３を開き、圧力室ａのシャンプー液を連通孔２２ｃを通してピストン２２内の中心穴２２ｂに入れ、その中心穴２２ｂからステム２５内を通して操作ボタン２６内に導き、その操作ボタン２６内の流路を通過して吐出口２６ｃから外部へと噴出する。
【００２１】
やがて、ピストン２２をシリンダ１２内に一定以上押し入れたとき、ピストン２２の先端が４つの係止部１４ｃ内を通過する。その後、操作ボタン２６をネジキャップ１１に押し当てた最終段階まで押し下げたところで、操作ボタン２６から手を離すと、第１スプリング１８でスライド部材１９を、第２スプリング２１でピストン２２を、第３スプリング２４でステム２５をそれぞれ押し上げ、まずピストン２２の掛止部２２ｄを図２に示すように第１シリンダ１４の係止部１４ｃに掛け止めてピストン２２の復帰を阻止し、圧力室ａのシャンプー液を連通孔２２ｃを通してピストン２２内に送り出す。
【００２２】
次いで、圧力室ａの圧力の低下とともに、徐々にスライド部材１９が第２シリンダ１５内を上昇して４つの係止解除部１９ｅを復帰し、それらをそれぞれ対向する係止部１４ｃに突き当ててそれらの係止部１４ｃを押し開き、ピストン２２の掛止部２２ｄに対する係止部１４ｃの掛け止めを解除して第２スプリング２１の付勢力でピストン２２を上昇する。
【００２３】
すると、やがて出口弁２３が閉じて次第に圧力室ａが負圧化する。そして、入口弁２０を開いて容器１０内の内容物を吸上げ管１６を通して吸込口１５ｂからシリンダ１２内に入れ、吸入口１９ｂから圧力室ａに吸い上げる。そして、負圧化の解消とともに入口弁２０で再び吸入口１９ｂを塞ぎ、操作ボタン２６を完全に元の位置に復帰して図１に示す状態に戻す。
【００２４】
再度使用するときは、操作ボタン２６を再度押し下げることにより、同様に吐出口２６ｃからシャンプー液を噴出することができる。
【００２５】
【発明の効果】
以上説明したとおり、この発明によれば、ピストンをシリンダ内に一定以上押し入れて操作ボタンから手を離したとき、ピストンに係止部を掛け止めてピストンの復帰を阻止する一方、操作ボタンの押し下げ時に移動した係止解除部を圧力室の圧力の低下とともに復帰してピストンに対する係止部の掛け止めを解除するので、操作ボタンから手を離しても操作ボタンが直ぐに復帰しないようにし、使用時における操作ボタンの押し下げができ得る限り一様になるようにし、噴出量のばらつきをなくし、噴出定量性を確保した噴出ポンプ装置を提供することができる。
【００２６】
請求項２に記載の発明によれば、操作ボタンを押し下げてステムを押し込んでも、はじめのうちはピストンを移動しないので、操作ボタンを中途半端に押し下げても、すぐに内容物が噴出しないようにし、使用時における操作ボタンの押し下げができ得る限り一様になるようにし、一層噴出量のばらつきをなくして噴出定量性を確保した噴出ポンプ装置を提供することができる。
【００２７】
請求項３に記載の発明によれば、請求項１または２に記載の噴出ポンプ装置を備えるから、上記効果を有する噴出ポンプ装置を備えた噴出器を提供することができる。
【図面の簡単な説明】
【図１】この発明による噴出ポンプ装置を備えるシャンプー用噴出器の要部縦断面図である。
【図２】その噴出器に備える操作ボタンを押し下げた状態の縦断面図である。
【図３】従来の噴出器の縦断面図である。
【符号の説明】
１２    シリンダ
１４ｃ  係止部
１９    スライド部材
１９ｄ  係止解除部材
１９ｅ  係止解除部
２２    ピストン
２３    出口弁
２５    ステム
２６    操作ボタン
２６ｃ  吐出口
ａ      圧力室
Ｐ      噴出ポンプ装置
【図１】
2005040695.tif 000003
【図２】
2005040695.tif 000004
【図３】
2005040695.tif 000005